(57)【要約】【課題】親端末で再生したコンテンツに基づいて、子端末においてコンテンツを同期して再生するコンテンツ提示システムを実現する。【解決手段】コンテンツデータを蓄積する記憶部２６と、記憶部２６からコンテンツデータを取り出しコンテンツとして再生する再生部２４と、再生したコンテンツを表示出力する表示部２８と、表示出力したコンテンツに対応する指示信号を送信するための送信部３０を備えた親端末２０と、コンテンツデータを蓄積する記憶部４６と、記憶部４６からコンテンツデータを取り出してコンテンツとして再生する再生部４４と、再生したコンテンツを表示出力する表示部４８と、指示信号を受信するための受信部５０と、受信した指示信号に対応するコンテンツを再生部４４に再生させる制御部５２とを備える１つ以上の子端末４０とを含むので、簡易な構成によってコンテンツ提示システム１０を実現することができる。【選択図】図１
2007251434.tif 000002
【特許請求の範囲】
【請求項１】
コンテンツデータを蓄積する第１記憶手段と、前記第１記憶手段からコンテンツデータを取り出してコンテンツとして再生する第１再生処理手段と、再生した前記コンテンツを表示出力する第１表示出力手段と、該第１表示出力手段が表示出力している前記コンテンツに対応する指示信号を送信する送信手段とを備えた第１端末と、
コンテンツデータを蓄積する第２記憶手段と、前記第２記憶手段からコンテンツデータを取り出してコンテンツとして再生する第２再生処理手段と、再生した前記コンテンツを表示出力する第２表示出力手段と、前記第１端末から指示信号を受信する受信手段と、受信した前記指示信号に対応するコンテンツを、ユーザによる該第２端末におけるコンテンツ表示を指示する操作よりも優先して前記第２再生処理手段に再生させる再生指示手段とを備える１つ以上の第２端末とを含むことを特徴とするコンテンツ提示システム。
【請求項２】
前記第１端末の送信手段は、前記第２端末における入力操作を無効化するためのロック信号および入力操作の無効化を解除するためのアンロック信号を指示信号として送信し、
前記第２端末は、前記ロック信号または前記アンロック信号の受信に基づいて該第２端末における入力操作を無効化または入力操作の無効化を解除するためのロック制御手段をさらに備えることを特徴とする請求項１に記載のコンテンツ提示システム。
【請求項３】
前記送信手段および前記受信手段は、赤外線通信を用いて通信を行うことを特徴とする請求項１に記載のコンテンツ提示システム。
【請求項４】
前記第１端末の送信手段は、複数の前記第２端末の受信手段が前記指示信号を受信可能な位置に配置されていることを特徴とする請求項１から３のいずれか１項に記載のコンテンツ提示システム。
【請求項５】
コンテンツデータを蓄積する記憶手段と、前記記憶手段からコンテンツデータを取り出しコンテンツとして再生する再生処理手段と、再生した前記コンテンツを表示出力するための表示出力手段と、該表示出力手段が表示出力している前記コンテンツに対応するコンテンツを別の端末に再生させるための指示信号を送信する送信手段とを備えることを特徴とする端末。
【請求項６】
コンテンツデータを蓄積する記憶手段と、前記記憶手段からコンテンツデータを取り出しコンテンツとして再生する再生処理手段と、再生した前記コンテンツを表示出力するための表示出力手段と、再生するコンテンツを決定するための指示信号を別の端末から受信するための受信手段と、前記指示信号に対応するコンテンツを、ユーザによる該第２端末におけるコンテンツ表示を指示する操作よりも優先して前記再生処理手段に再生させる再生指示手段とを備えることを特徴とする端末。
【請求項７】
第１端末の第１再生処理手段が、第１端末の第１記憶手段から蓄積されたコンテンツデータを取り出してコンテンツとして再生する第１再生処理ステップと、
前記第１端末の第１表示出力手段が、再生した前記コンテンツを表示出力する第１表示出力ステップと、
前記第１端末の第１送信手段が、前記第１表示出力手段が表示出力している前記コンテンツに対応する指示信号を第２端末に送信する送信ステップと、
前記第２端末の受信手段が、前記指示信号を前記第１端末から受信する受信ステップと、
前記第２端末の再生指示手段が、前記指示信号に対応するコンテンツを、ユーザによる該第２端末におけるコンテンツ表示を指示する操作よりも優先して前記第２再生処理手段に再生させる再生指示ステップと、
前記第２端末の第２再生処理手段が、前記第２端末の第２記憶手段から蓄積されたコンテンツデータを取り出してコンテンツとして再生する第２再生処理ステップと、
前記第２端末の第２表示出力手段が、再生した前記コンテンツを表示出力する第２表示出力ステップとを備えることを特徴とするコンテンツ提示方法。
【請求項８】
請求項５または請求項６に記載の端末を動作させるためのプログラムであって、コンピュータを上記端末の各手段として機能させるための制御プログラム。
【請求項９】
請求項８に記載のコンテンツ提示プログラムが記録されたコンピュータ読み取り可能な記録媒体。
【発明の詳細な説明】
【技術分野】
【０００１】
本発明は、互いに同期してコンテンツを再生するコンテンツ提示システム、端末、コンテンツ提示方法、プログラム、および該プログラムを記録した記録媒体に関するものである。
【０００２】
具体的には、無線通信を用いて指示信号を送信することで、親端末で再生したコンテンツに同期して、子端末において該子端末の記憶装置に記録されたコンテンツを再生させるコンテンツ提示システム、端末、コンテンツ提示方法、プログラム、および記録媒体に関するものである。
【背景技術】
【０００３】
従来、クライアント−サーバを備えたネットワークを用いて、授業を支援するために端末を制御し資料を提示する授業支援システムが使用されている（例えば、特許文献１）。このような授業支援システムでは、教材データが蓄積された配信サーバと、教材データを指導案と関連付けて格納する教材サーバと、教材データを指導案に基づいて表示するように表示制御する教室端末と、多人数に対して一斉に表示を行う表示手段とを備えている。
【０００４】
上記の構成によれば、教室端末を用いて制御を行うことで、ネットワークによって接続された複数の表示手段に対して教材データを一斉に表示させることができる。
【０００５】
また、携帯端末装置に対して信号を送信することで、携帯端末の入力部および表示部の動作を制御する制御方法が用いられている（例えば、特許文献２）。
【０００６】
上記の携帯端末装置では、制御情報を含む文字情報を受信することによって、携帯端末装置の動作をロックおよびロック解除を行うことで、第三者による悪用を防止している。
【特許文献１】特開２００２−７２８５０号公報（２００２年３月１２日公開）
【特許文献２】特開２００１−２６８２１６号公報（２００１年９月２８日公開）
【発明の開示】
【発明が解決しようとする課題】
【０００７】
しかしながら、上記のような授業支援システムでは、配信サーバを備えたネットワークを構築しなければ複数の表示装置に対して資料の提示を行うことができないため、システムの構築が困難であるという問題がある。また、表示装置−配信サーバ間のネットワークがオンライン状態でなければ、資料の参照・表示ができないという問題がある。
【０００８】
本発明は上記の問題点に鑑みてなされたものであり、その目的は、簡素な構成によって複数の端末に所望のコンテンツを提示することができるコンテンツ提示システム、該コンテンツ提示システムで利用される端末、該端末として外部機器を動作させるための制御装置、コンテンツ提示方法、コンテンツ提示プログラム、および該プログラムを記録した記録媒体を提供することにある。
【課題を解決するための手段】
【０００９】
本発明のコンテンツ提示システムは、上記の問題を解決するために、コンテンツデータを蓄積する第１記憶手段と、前記第１記憶手段からコンテンツデータを取り出してコンテンツとして再生する第１再生処理手段と、再生した前記コンテンツを表示出力する第１表示出力手段と、該第１表示出力手段が表示出力している前記コンテンツに対応する指示信号を送信する送信手段とを備えた第１端末と、コンテンツデータを蓄積する第２記憶手段と、前記第２記憶手段からコンテンツデータを取り出してコンテンツとして再生する第２再生処理手段と、再生した前記コンテンツを表示出力する第２表示出力手段と、前記第１端末から指示信号を受信する受信手段と、受信した前記指示信号に対応するコンテンツを、ユーザによる該第２端末におけるコンテンツ表示を指示する操作よりも優先して前記第２再生処理手段に再生させる再生指示手段とを備える１つ以上の第２端末とを含むことを特徴としている。
【００１０】
上記の構成によれば、第１端末は、第１端末内の第１記録装置からコンテンツデータを取り出して再生し、再生したコンテンツに対応する指示信号を送信し、第２端末は、第１端末からの指示信号に基づいて対応するコンテンツデータを該第２端末の第２記録装置から取り出して再生する。これによって、第１端末の送信手段から送信する１つの指示信号送信に基づいて、複数の第２端末におけるコンテンツ提示の制御を行うことができ、第１端末の操作者は、複数の第２端末を個別に指定することなしに一斉に同期させてコンテンツを提示することができる。
【００１１】
このように、上記の構成を用いることで、制御側の第１端末に送信手段を備え、提示先の第２端末に受信手段を備えた簡素な構成によって、相互に通信可能に接続されたネットワークを構築する必要なしに、任意のコンテンツを複数の端末に提示するコンテンツ提示システムを実現することができる。
【００１２】
本発明のコンテンツ提示システムでは、上記の構成において、前記第１端末の送信手段は、前記第２端末における入力操作を無効化するためのロック信号および入力操作の無効化を解除するためのアンロック信号を指示信号として送信し、前記第２端末は、前記ロック信号または前記アンロック信号の受信に基づいて該第２端末における入力操作を無効化または入力操作の無効化を解除するためのロック制御手段をさらに備えることを特徴としている。
【００１３】
上記の構成によれば、第１端末から第２端末にロック信号またはアンロック信号を送信することで、第２端末における操作を無効化または操作の無効化を解除する。これにより、第１端末の操作者は、第２端末における操作を制御することで第２端末の閲覧者を提示するコンテンツに集中させることができる。
【００１４】
本発明のコンテンツ提示システムでは、前記送信手段および前記受信手段は、赤外線通信を用いて通信を行うことを特徴としている。
【００１５】
上記の構成によれば、無線通信装置を用いて送信手段・受信手段を構成するので、第１端末および／または第２端末を自由に移動させることができる。このため、第１・第２端末を自由に配置することができ、また、配置の変更を容易に行うことができる。これにより、コンテンツ提示システムの構築を簡素化することができる。
【００１６】
また、上記の構成によれば、赤外線通信を用いて通信を行うので、簡略な構成で端末間の通信を行うことができる。
【００１７】
具体例をあげれば、例えば、赤外線通信の特性として、近距離において高速な通信を行うことができ、また、赤外線通信の端子同士を向かい合わせるだけで容易に通信を確立することができる。さらに、電波を用いた通信と比較した場合、簡略な回路で構成することができ、消費電力も低減することができる。また、無線ＬＡＮを用いた通信のように、干渉を起こす可能性が低減されるという特性も持っている。
【００１８】
本発明のコンテンツ提示システムでは、前記第１端末の送信手段は、複数の前記第２端末の受信手段が前記指示信号を受信可能な位置に配置されていることを特徴としている。
【００１９】
上記の構成によれば、前記第２端末が使用される複数の場所に前記送信手段が設置されているので、第１端末の送信手段および第２端末の受信手段を、通信距離の短い通信手段を用いて構成することができる。
【００２０】
なお、ここでいう第２端末の使用とは、第１端末から送信される指示信号に基づくコンテンツの提示を指すものとする。ただし、第１端末と同期をとったコンテンツの提示を目的としない場合でも、例えば、災害情報やニュース速報などといった緊急性の高い情報を強制的に第２端末に表示させる可能性があれば、第２端末を用いたコンテンツの提示を目的とした使用と見なしてもよい。
【００２１】
また、ここでいう複数の場所には、具体例をあげると、例えば、教室やホールにおける各座席、アトラクションセンターやイベント会場における各ブース、放送室や制御室によって送信や監視される対象の各部屋、駅や公園における各掲示板などがあげられる。
【００２２】
本発明の端末は、上記の問題を解決するために、コンテンツデータを蓄積する記憶手段と、前記記憶手段からコンテンツデータを取り出しコンテンツとして再生する再生処理手段と、再生した前記コンテンツを表示出力するための表示出力手段と、該表示出力手段が表示出力している前記コンテンツに対応するコンテンツを別の端末に再生させるための指示信号を送信する送信手段とを備えることを特徴としている。
【００２３】
上記の構成によれば、再生したコンテンツに対応する指示信号を送信手段が送信するので、端末のユーザは別の端末に対する操作を意識することなく、当該端末で再生しているコンテンツに対応するコンテンツを簡素な構成で別の端末に再生させることができる。
【００２４】
また、本発明の端末は、上記の問題を解決するために、コンテンツデータを蓄積する記憶手段と、前記記憶手段からコンテンツデータを取り出しコンテンツとして再生する再生処理手段と、再生した前記コンテンツを表示出力するための表示出力手段と、再生するコンテンツを決定するための指示信号を別の端末から受信するための受信手段と、前記指示信号に対応するコンテンツを、ユーザによる該第２端末におけるコンテンツ表示を指示する操作よりも優先して前記再生処理手段に再生させる再生指示手段とを備えることを特徴としている。
【００２５】
上記の構成によれば、再生すべきコンテンツに対応する指示信号を受信手段が受信するので、当該端末に表示させたいコンテンツを別の端末やネットワークを検索する必要なく、簡素な構成で別の端末のユーザが再生させたいコンテンツを再生させることができる。
【００２６】
本発明のコンテンツ提示方法は、上記の問題を解決するために、第１端末の第１再生処理手段が、第１端末の第１記憶手段から蓄積されたコンテンツデータを取り出してコンテンツとして再生する第１再生処理ステップと、前記第１端末の第１表示出力手段が、再生した前記コンテンツを表示出力する第１表示出力ステップと、前記第１端末の第１送信手段が、前記第１表示出力手段が表示出力している前記コンテンツに対応する指示信号を第２端末に送信する送信ステップと、前記第２端末の受信手段が、前記指示信号を前記第１端末から受信する受信ステップと、前記第２端末の再生指示手段が、前記指示信号に対応するコンテンツを、ユーザによる該第２端末におけるコンテンツ表示を指示する操作よりも優先して前記第２再生処理手段に再生させる再生指示ステップと、前記第２端末の第２再生処理手段が、前記第２端末の第２記憶手段から蓄積されたコンテンツデータを取り出してコンテンツとして再生する第２再生処理ステップと、前記第２端末の第２表示出力手段が、再生した前記コンテンツを表示出力する第２表示出力ステップとを備えることを特徴としている。
【００２７】
上記の構成によれば、第１端末において、第１再生処理ステップでコンテンツを再生し、送信ステップで再生したコンテンツに対応する指示信号を送信し、第２端末において、受信ステップで指示信号を受信し、第２再生処理ステップで指示信号に対応するコンテンツを再生する。これによって、第１端末の送信手段から送信する１つの指示信号送信に基づいて、複数の第２端末におけるコンテンツ提示の制御を行うことができ、第１端末の操作者は、複数の第２端末を個別に指定することなしに一斉に同期させてコンテンツを提示することができる。
【００２８】
このように、上記の構成を用いることで、制御側の第１端末から指示信号を送信し、提示先の第２端末に受信手段が指示信号を受信する簡易な構成によって、相互に通信可能に接続されたネットワークを構築する必要なく、任意のコンテンツを複数の端末に提示するコンテンツ提示方法を実現することができる。
【００２９】
なお、上記コンテンツ提示システムにおける端末を、制御によりコンピュータ上で実行させることができる。さらに、上記制御プログラムをコンピュータ読み取り可能な記録媒体に記憶させることにより、任意のコンピュータ上で実行させることができる。
【発明の効果】
【００３０】
以上のように、本発明に係るコンテンツ提示システムは、第１端末は、第１端末内の第１記録装置からコンテンツデータを取り出して再生し、再生したコンテンツに対応する指示信号を送信し、第２端末は、第１端末からの指示信号に基づいて対応するコンテンツデータを該第２端末の第２記録装置から取り出して再生するので、制御側の第１端末に送信手段を備え、提示先の第２端末に受信手段を備えた簡素な構成によって、任意のコンテンツを複数の端末に提示するコンテンツ提示システムを実現することができるという効果を奏する。
【発明を実施するための最良の形態】
【００３１】
〔実施形態１〕
本発明の一実施形態について、図１〜図６に基づいて説明すると以下の通りである。実施形態１では端末として、以下で説明する各部の機能を備えた専用端末を例に説明するが、これに限るものではない。従来使用されている外部機器に、以下で説明する各部の機能を備えた制御装置を装着することで各端末として機能させてもよい。
【００３２】
なお、上記の外部機器には、具体例をあげると、例えば、ＰＤＡ（personal digital assistant）、携帯ゲーム機、およびノートＰＣ（Personal Computer）といった携帯端末などがあげられる。また、制御装置の形態としては、具体例をあげると、ＰＣカード、ＵＳＢ（Universal Serial Bus）機器、フラッシュメモリカード、ＲＯＭ（Read Only Memory）カートリッジ、無線通信ユニット、映像デコードユニット、およびその他のオプションユニットなどがあげられる。
【００３３】
また、以下では、専用端末を用いて本発明のコンテンツ提示システムを構成した場合について説明するが、本発明はそれに留まるものではなく、通信機能およびコンテンツの表示出力機能を持つ任意の端末を用いて本発明のシステムを構成することができる。
【００３４】
図１は、本実施形態におけるコンテンツ提示システム１０に利用される各端末の概略構成を示したブロック図である。コンテンツ提示システム１０は、親端末（第１端末）２０および１つ以上の子端末（第２端末）４０を備えている。親端末２０は、操作部２２、再生部（第１再生処理手段）２４、記憶部（第１記憶手段）２６、表示部（第１表示出力手段）２８、送信部（送信手段）３０、および制御部（ロック制御手段）５２を備えている。子端末４０は、操作部４２、再生部（第２再生処理手段）４４、記憶部（第２記憶手段）４６、表示部（第２表示出力手段）４８、受信部（受信手段）５０、および制御部（再生指示手段、ロック制御手段）５２を備える構成である。
【００３５】
まず、親端末２０の各部について説明を行う。なお、親端末２０および子端末４０は、類似するの部材名を持つ各部を備えるが、同様の名前を備える部材は、基本的に同様の動作を行うものとし、以下では異なる動作を行う部分のみ説明するものとする。
【００３６】
操作部２２は、親端末２０を操作するユーザである指導者１２の操作入力を受け付け、再生部２４へ操作信号を送信するための入力デバイスである。ここで、操作部２２は、親端末２０の筐体に配置されたボタン、マウス、キーボード、タッチパネル、および手書き入力パッドのうち少なくとも１つであってもよい。あるいは、操作部２２は、外部の入力インタフェースを接続するための外部接続端子や、赤外線や無線などを用いた外部のリモートコントローラの受信部であってもよい。親端末２０は、ユーザからの操作入力を受け付るけものであれば、操作部２２にどのようなデバイスを用いてもよい。
【００３７】
再生部２４は、操作部２２からの操作信号に基づいて記憶部２６を参照し、操作信号に対応するコンテンツデータをデコードして、表示部２８にコンテンツを出力するための処理装置である。記憶部２６は、再生部２４によって参照されるコンテンツデータを蓄積する記憶装置である。ここで、記憶部２６は、親端末２０の内部に設けられた不揮発メモリであってもよいし、記録メディアからコンテンツデータを読み込むための外部記憶メモリの再生ドライブであってもよい。以下では、記憶部２６を、外部のコンパクトフラッシュ（登録商標）メモリ（以下、ＣＦメモリ）からコンテンツデータを読み出すためのドライブとして説明するものとする。
【００３８】
表示部２８は、再生部２４によってデコードされたコンテンツを表示出力するための出力デバイスである。以下では、表示素子を用いたディスプレイとして表示部２８の説明を行うが、外部の表示装置やアンプ装置などへ接続するための各種出力端子であってもよい。また、表示部２８は、音声出力部としてスピーカやヘッドホン等を含んでいても良い。
【００３９】
制御部５２は、再生部２４で再生されたコンテンツに対応する固有コードを指示信号として生成し、送信部３０を介して子端末４０に送信させるものである。また、制御部５２は、操作部２２からのロック指示・アンロック指示に基づいてロック信号およびアンロック信号を生成し、送信部３０を介して子端末４０に送信させる処理も行う。
【００４０】
送信部３０は、制御部５２によって生成された指示信号、ロック信号、およびアンロック信号を、子端末４０の受信部５０に送信するための通信手段である。以下では、送信部３０を、いわゆるＤＳＲＣ（Dedicated Short-Range Communications:専用狭域無線通信）を用いて、近距離で通信を行うための無線通信手段として説明するが、これに限らない。
【００４１】
次に、子端末４０の各部について説明を行う。操作部４２は、子端末４０を操作するユーザである受講者１４の操作入力を受け付け、再生部４４へ操作信号を送信するための入力デバイスである。操作部２２と同様に、操作部４２は、ユーザからの操作入力を受け付けものであればどのようなデバイスを用いてもよい。
【００４２】
再生部４４は、再生部２４と同様に、操作部４２からの操作信号に基づいて記憶部４６を参照し、操作信号に対応するコンテンツデータをデコードして、表示部４８にコンテンツを出力するための処理装置である。しかしながら、再生部４４は、制御部５２から出力される制御信号に基づいて、表示部４８に出力するコンテンツを変更する点が、再生部２４と異なる。制御部５２が出力する制御信号について、詳細は後述するものとする。
【００４３】
記憶部４６は、記憶部２６と同様に、再生部４４によって参照されるコンテンツデータを蓄積する記憶装置である。以下では、記憶部４６を、外部のＣＦメモリからコンテンツデータを読み出すためのドライブとして説明するものとする。表示部４８は、表示部２８と同様に、再生部４４によってデコードされたコンテンツを表示出力するための出力デバイスである。
【００４４】
受信部５０は、親端末２０の送信部３０から送信された指示信号を受信し、制御部５２に入力するための通信手段である。以下では、受信部５０を送信部３０と同様に、ＤＳＲＣを用いて近距離で通信を行うための無線通信手段として説明する。制御部５２は、受信部５０から入力された指示信号基づいて、再生部４４に再生させるコンテンツを指示するための制御手段である。再生部４４は、操作部４２から入力されたユーザによる操作よりも、制御部５２からの指示を優先して再生するコンテンツを選択する。
【００４５】
次に、各端末のハードウェア構成について、図２を参照して説明を行う。図２は、本実施形態における親端末２０のハードウェア構成の具体例を示す概略図である。親端末２０は、ＣＰＵ（Central Processing Unit）６０、ＲＯＭ（Read Only Memory）６１、ＲＡＭ（Random Access Memory）６２、タッチパネル６３、タッチパネルコントローラ６４、キー６５、キー入力ポート６６、電源キー６７、電源コントローラ６８、充電池６９、ＡＣアダプタ７０、表示コントローラ７１、表示装置７２、ＭＭＣ（Multi Media Card）コントローラ７３、ＭＭＣメモリカード７４、ＣＦカードコントローラ７５、ＣＦメモリカード７６、無線通信コントローラ７８、無線通信装置７９、および内蔵記憶装置８０を備えている。
【００４６】
なお、以下では図２を親端末２０として解説を行うが、親端末２０では、無線通信コントローラ７８および無線通信装置７９が送信部３０に対応し、子端末４０では受信部５０が送信部３０に対応する。また、親端末２０では、再生部２４の機能を実現するためにＣＰＵ６０で実行されるプログラムが、子端末４０では、再生部４４および制御部５２の機能を実現するためのプログラムに変更される以外、親端末２０および子端末４０のハードウェア構成はほぼ同様の内容となっている。以下、端末を構成するハードウェアの各部について説明する。
【００４７】
親端末２０は、各部の制御および処理を実行するために、メモリからプログラムを読み込んでコンピュータを制御するＣＰＵ６０、ブートプログラムなどの初期化されないデータが記録された読込専用メモリであるＲＯＭ６１、および、実行するプログラムやデータが一時的に読み込まれるメモリであるＲＡＭ６２を備えている。
【００４８】
また、親端末２０は、ユーザからの操作を外部から受け付けるための入力デバイスとして、外部からの入力インタフェースであるタッチパネル６３、タッチパネル６３の操作入力を電気信号に変換してＣＰＵに伝えるためのタッチパネルコントローラ６４、親端末２０の筐体に設置された複数の入力用スイッチであるキー６５、および、キー６５の操作入力を電気信号に変換してＣＰＵに伝えるためのキー入力ポート６６を備えている。
【００４９】
さらに、親端末２０は、親端末２０を稼動するための電源ユニットとして、親端末２０への電力供給を操作するための電源キー６７、親端末２０を構成するハードウェアの各部へ電力を供給するための電源コントローラ６８、親端末２０へ電力を供給するバッテリーである充電池６９、および、充電池６９の充電および親端末２０への電源供給に用いられるＡＣアダプタ７０を備えている。
【００５０】
さらに、親端末２０は、出力用デバイスとして、ＣＰＵ６０の指示を受けて表示装置７２における表示を制御するための表示コントローラ７１、および、ＬＣＤや有機ＥＬＤなどで構成された表示用パネルである表示装置７２を備えている。
【００５１】
さらに、親端末２０は、記憶用デバイスとして、ＭＭＣメモリカード７４の読み出し・書き込みを制御するＭＭＣコントローラ７３、外部記憶用メディアであるＭＭＣメモリカード７４、ＣＦメモリカード７６の読み出し・書き込みを制御するＣＦカードコントローラ７５、外部記憶用メディアであるＣＦメモリカード７６、および、内蔵型で大容量の半導体記録媒体または磁気記憶媒体である内蔵記憶装置８０を備えている。内蔵記録装置は、上述の例に限らない。用途、容量、価格、サイズ、およびその他の条件と照らし合わせ適切な記録媒体であれば、内蔵記憶装置８０はどのような媒体であっても良い。
【００５２】
上記のＭＭＣメモリカード７４およびＣＦメモリカード７６をまとめて、拡張用記憶装置７７と呼ぶものとする。拡張用記憶装置７７は、外部から挿入されるリムーバブルメディアであり、内部にコンテンツデータを記憶しており、内蔵記憶装置８０と同様に参照される。コンテンツデータは、拡張用記憶装置７７の各メディアから直接読み込んでも良いし、内蔵記憶装置８０にコンテンツデータをコピーして読み込んでも良い。
【００５３】
さらに、親端末２０は、通信デバイスとして、無線通信装置７９を制御するための無線通信コントローラ７８、および、子端末４０と通信するための無線通信装置７９を備えている。無線通信装置７９は、ここでは、ＤＳＲＣを用いるものとするが、無線ＬＡＮ（Local Area Network）、赤外線通信、携帯電話通信、高周波通信、および電波・音波・電磁波・光などの波動を用いた各種通信手段を用いてもよい。
【００５４】
次に、本実施形態におけるコンテンツ提示の手順について、図３を参照して説明する。図３は、本実施形態のコンテンツ提示システム１０におけるコンテンツの提示方法の一例を示す概念図である。コンテンツ提示が行われる場所において、指導者１２は親端末２０を、複数の受講者１４はそれぞれ子端末４０を所持している。指導者１２は、子端末４０にコンテンツ提示を行うために、親端末２０を操作する。以下、手順を説明する。
【００５５】
まず、指導者１２は、親端末２０の操作部２２を操作して参照するコンテンツの画面Ｄ１を表示させる。画面Ｄ１を親端末２０に表示させると、親端末２０の送信部３０は表示した画面Ｄ１に対応する固有コードを指示信号として送信する。
【００５６】
親端末２０から固有コードが送信されると、子端末４０の受信部５０は、無線通信で送信された固有コードを受信する。子端末４０の制御部５２は、子端末４０の再生部４４に固有コードに対応するコンテンツを再生させる。これによって、画面Ｄ１に対応するコンテンツの画面Ｄ２が子端末４０の表示部４８に表示される。上記の固有コードに対応する画面の表示は、子端末４０の操作部４２を用いて指示される再生指示よりも優先されるため、複数の子端末４０の表示部４８には、画面Ｄ１に対応する画面Ｄ２が同期して表示される。
【００５７】
次に、親端末２０において、指導者１２が子端末４０の手書き入力機能をロックする手順について説明する。指導者１２は子端末４０の手書き入力機能をロックし、提示しているコンテンツに受講者１４を集中させたい場合に、親端末２０を操作してロック信号を子端末４０へ送信する。親端末２０におけるロック信号の送信は、例えば、メニュー画面を開いて「子端末をロックする」の項目を選択することによって送信する。あるいは、ロックボタンを親端末２０の筐体に設置し、ロックボタンを押すことでロック信号を送信することにしてもよい。
【００５８】
親端末２０の操作部２２を用いて、指導者１２によるロック信号の送信操作が行われると、親端末２０の送信部３０は、ロック信号を指示信号として子端末４０に送信する。子端末４０の制御部５２は、子端末４０の受信部５０からロック信号を受け取ると、再生部４４に現在提示しているコンテンツの画面Ｄ３を表示する以外の操作をできないように、子端末４０の操作部４２を制御する。これによって、指導者１２は、受講者１４にコンテンツの画面Ｄ３を閲覧する以外の操作、例えば、画面Ｄ３に手書き書き込み機能を用いて書き込むといった操作を禁止することができる。
【００５９】
さらに、親端末２０の操作部２２を用いて、指導者１２にアンロック信号の送信操作が行われると、親端末２０の送信部３０は、アンロック信号を指示信号として子端末４０に送信する。子端末４０の制御部５２は、子端末４０の受信部５０からアンロック信号を受け取ると、操作部４２および再生部４４にかけているロックを解除する。これによって、指導者１２は、受講者１４にコンテンツの画面Ｄ４を閲覧する以外の操作、例えば、画面Ｄ４に手書き書き込み機能を用いて書き込むといった操作を実行することができる。
【００６０】
以上のような手順で、指導者１２はコンテンツの提示について意識する必要なしに、受講者１４の手元にある子端末４０に対応するコンテンツを提示することができる。
【００６１】
次に、実際に上記の手順を親端末２０および子端末４０で実行する際の、各端末で行われる処理の流れについて図４および図５を参照して説明する。図４は、親端末２０および子端末４０において、コンテンツの提示を行う際の処理の流れを示すフロー図である。図５は、子端末４０において、子端末４０のロックおよびアンロックを行う際の処理の流れを示すフロー図である。
【００６２】
まず、コンテンツの提示処理の流れについて説明する。図４の左側は、親端末２０における処理の流れを、図４の右側は子端末４０における処理の流れを示している。
【００６３】
最初に、各端末の電源がＯＮ状態となることで処理は開始される。Ｓ１０１において、親端末２０の操作を行う指導者１２は、操作部２２を用いて授業等で説明するコンテンツＣ１を画面に表示させる。Ｓ１０２において、親端末２０の再生部２４は、表示部２８に対して操作によって指定されたコンテンツＣ１を表示部２８に表示させるとともに、送信部３０にコンテンツＣ１に対応するコード固有Ｎ１を送信させる。送信した固有コードＮ１は、子端末４０における処理Ｓ２０２で用いられる。
【００６４】
これに対して、子端末４０では、Ｓ２０１において、子端末４０の操作を行う受講者１４は、操作部４２を用いて任意のコンテンツを自由に表示させ閲覧している。Ｓ２０２において、子端末４０は、親端末２０からコンテンツＣ１に対応する固有コードＮ１を受信する。Ｓ２０３において、子端末４０の制御部５２は、受信部５０が受信した指示信号である固有コードＮ１に基づいて、再生部４４に固有コードＮ１に対応するコンテンツを再生させる。再生部４４は、記憶部４６に固有コードＮ１に対応するコンテンツが蓄積されているか検索を行う。
【００６５】
Ｓ２０４において、検索の結果、固有コードＮ１に対応するコンテンツが子端末４０の記憶部４６に存在した場合（Ｓ２０４でＹＥＳ）は、処理はＳ２０５へ進む。固有コードＮ１に対応するコンテンツが存在しない場合（Ｓ２０４でＮＯ）は、処理はＳ２０６へ進む。
【００６６】
Ｓ２０５において、子端末４０の再生部４４は、コンテンツＣ１を強制表示し、子端末４０の操作部４２からの他のコンテンツを表示する操作を受け付けないようにする。Ｓ２０６において、子端末４０の再生部４４は、固有コードＮ１によって指示されたコンテンツが記憶部４６に存在しないことを示すメッセージを表示する。その後、処理はＳ２０７へ進む。
【００６７】
Ｓ２０７において、子端末４０の制御部５２は、親端末２０から固有コードを受信しているかを判断する。固有コードを受信していた場合（Ｓ２０７でＹＥＳ）、処理はＳ２０３へ進み、再び固有コードに対応するコンテンツの検索を行う。固有コードを受信していない場合（Ｓ２０７でＮＯ）、コンテンツＣ１の強制表示を終了し、受講者１４の所望するコンテンツを参照することができるようにする。
【００６８】
なお、上記の処理では、一例として固有コードを受信している間のみコンテンツを強制表示するものとしたが、これに限るものではない。１回目の指示でコンテンツの強制表示を開始し、終了する指示を受信するまで表示し続けるものであってもよい。
【００６９】
Ｓ１０３において、指導者１２が子端末４０における手書き入力などの操作のロックを希望する場合、指導者１２は、親端末２０の操作部２２を用いてロックおよびアンロック指示を選択する。Ｓ１０４において、親端末２０の制御部５２は、操作部２２での選択結果に基づいて、子端末４０での操作の可否を操作可能コードＭ１または操作不可コードＭ２の送信を行う。処理は、図５に示す子端末４０での処理Ａへ進む。
【００７０】
図５は、子端末４０のロックおよびアンロックを行う際の処理の流れを示している。Ｓ２１１において、子端末４０は、Ｓ２０１と同様に、受講者１４の操作によって、任意のコンテンツを自由に表示し閲覧させている。Ｓ２１２において、子端末４０は、親端末２０から操作可能コードＭ１または操作不可コードＭ２を受信する。Ｓ２１３において、受信したコードが操作可能コードＭ１か操作不可コードＭ２か判断する。操作可能コードＭ１の場合（Ｓ２１３でＭ１）、処理はＳ２１４へ進む。操作不可コードＭ２の場合、処理はＳ２１５へ進む。
【００７１】
Ｓ２１５において、子端末４０の制御部５２は、操作不可コードＭ２に基づいて操作部４２の入力操作を受け付けないように制御する。Ｓ２１４において、子端末４０の制御部５２は、操作可能コードＭ１に基づいて操作部４２に入力操作を受け付けるように制御する。なお、Ｓ２１４およびＳ２１５による操作可能状態および操作不可能状態の変更は、新たな状態へ変更する信号が入った場合に別の状態へ移行してもよいし、いずれか一方を基本状態とし、逆の状態のコードが入力されている間のみ、逆の状態を維持するようにしても良い。その後、処理はＳ２１６に進む。
【００７２】
Ｓ２１６において、子端末４０の制御部５２は、親端末２０からいずれかのコードを受信しているかを判断する。いずれかのコードを受信している場合（Ｓ２１６でＹＥＳ）、Ｓ２１３へ戻ってコードの判別を繰り返す。いずれのコードも受信していない場合（Ｓ２１６でＮＯ）、子端末４０のロック状態の変更処理を終了して、受講者１４の操作を受け付ける状態に戻る。以上でロック状態変更処理は終了する。
【００７３】
次に、本発明のコンテンツ提示システム１０を授業支援システムに適用した例について、図６を参照して説明を行う。図６は、本発明のコンテンツ提示システム１０の一実施形態である授業支援システムにおけるコンテンツ提示方法の一例を示す図である。
【００７４】
本実施形態の授業支援システムは、指導者用端末としての親端末２０と、受講者用端末としての複数の子端末４０とを備えている。指導者用端末は教卓などに設置され、指導者によって操作される。受講者用端末は受講者の座席などに設置され、受講者によって操作される。
【００７５】
まず、初期状態において、子端末４０では、授業前にそれぞれの受講者が所望するコンテンツＣ１０を表示している。ここで授業が開始されると、指導者は親端末２０の電源をＯＮにし、授業等で説明するコンテンツＣ１１を画面に表示する。親端末２０でコンテンツＣ１１が表示されると、コンテンツＣ１１に対応する固有コードが親端末２０から子端末４０に送信される。
【００７６】
複数の子端末４０では、送信されたコンテンツＣ１１の固有コードに基づいて、子端末４０の記憶部４６から対応するコンテンツＣ１２を読み出して表示する。親端末２０からコンテンツの表示を指示している間、子端末４０の制御部５２は、他のコンテンツを閲覧する操作を受け付けないように再生部４４を制御する。その間、子端末４０では、親端末２０で表示しているコンテンツＣ１１に対応するコンテンツＣ１３を表示しつづける。これによって、指導者は受講者に対して、提示したいコンテンツを特別な操作なしに自分が参照表示しているコンテンツに基づいて提示することができる。また、親端末２０で表示しているコンテンツには、指導者が授業に使うメモが記入され、子端末４０で表示するコンテンツには、メモが記入されていないものが表示されるようにしても良い。
【００７７】
次に、指導者が子端末４０での画面への手書き入力の操作を不可にする入力を親端末２０で選択した場合について説明する。子端末４０の操作を不可にする入力は、キー操作やメニューの選択などによって入力する。親端末２０によって操作を不可にする入力がなされると、親端末２０の制御部５２は、送信部３０に入力操作不可コードを送信させる。子端末４０は入力操作不可コードを受け取り、制御部５２によってコンテンツＣ１４に対する手書き入力操作を受け付けない制御される。これによって、指導者は受講者に対して手書き入力を禁止し、表示しているコンテンツに対して集中させることができる。
【００７８】
次に、指導者が子端末４０での画面への手書き入力の操作を許可する入力を親端末２０で選択した場合について説明する。子端末４０の操作を許可する入力は、操作を不可にする入力と同様にキー操作やメニューの選択によって入力する。親端末２０によって操作を不可にする入力がなされると、親端末２０の制御部５２は、送信部３０に入力操作許可コードを送信させる。子端末４０は、入力操作許可コードを受け取り、制御部５２によってコンテンツＣ１５に対する手書き入力操作を受け付けるように制御を変更する。これによって、受講者に問題の回答を記入させるなどの授業に活用することができる。
【００７９】
以上のように、本実施形態の授業支援システムでは、指導者用端末で表示したコンテンツに対応するコンテンツを、受講者用端末において受講者による閲覧操作より優先して表示するので、授業における資料の提示を効率的に行うことができる。
【００８０】
また、指導者用端末から受講者用端末に対して入力操作不可コードを送信することで、受講者用端末における入力操作を禁止させ、授業内容に集中させることができる。
【００８１】
同様に、指導者用端末から受講者用端末に対して入力操作許可コードを送信することで、必要な場合に受講者用端末に入力操作を行うことができるように操作することができる。
【００８２】
なお、上記の授業支援システムでは、親端末２０の送信部３０および子端末４０の受信部５０は、無線通信を用いて通信を行ってもよい。
【００８３】
上記の構成によれば、無線通信装置を用いて送信部３０・受信部５０を構成するので、親端末２０および／または子端末４０を自由に移動させることができる。このため、親端末２０および子端末４０を自由に配置することができ、また、配置の変更を容易に行うことができる。これにより、授業支援システムの構築を簡素化することができる。
【００８４】
また、上記の授業支援システムでは、送信部３０および受信部５０は、赤外線通信を用いて通信を行っても良い。
【００８５】
上記の構成によれば、赤外線通信を用いて通信を行うので、簡略な構成で端末間の通信を行うことができる。
【００８６】
また、上記の授業支援システムでは、親端末２０は、送信部３０を複数備え、送信部３０は、子端末４０端末が使用される複数の場所に設置、ここでは受講者が授業を受ける各座席に設置されていても良い。
【００８７】
上記の構成によれば、子端末４０が使用される座席に親端末２０の送信部３０が設置されているので、親端末２０および子端末４０の送信部３０および受信部５０を、通信距離の短い赤外線通信を用いて構成することができる。
【００８８】
〔実施形態２〕
次に、本発明の別の実施形態について、図７を参照して説明する。
【００８９】
本実施形態のイベント告知システムでは、図１〜６に示されるシステムに比べて、使用される場所が主として屋外のテーマパークであり、親端末２０がそれぞれのアトラクション、イベントスペース、または建築物の周辺のブースに固定され、子端末４０がテーマパークの来園者に貸与され、テーマパーク内を移動する構成となっている点が異なり、その他の構成は同様である。
【００９０】
このため、本実施形態では、コンテンツを親端末２０と同期させて子端末４０に提示する範囲を、親端末２０より約１０ｍ〜２０ｍの通信範囲内とし、送信部３０および受信部５０を上記通信範囲にあわせて無線通信手段を用いる構成としている。上記の通信範囲は一例を示すものであり、通信範囲を約０ｃｍ〜３０ｃｍ程度とし、送信部３０および受信部５０に赤外線通信手段を用いる構成としても良いし、通信範囲を約５０ｍ〜３００ｍ程度とし、携帯電話回線を用いる構成としても良い。通信範囲に応じた通信手段を用いれば、送信部３０および受信部５０は、どのような通信手段であっても良い。
【００９１】
なお、上記実施形態で説明した構成と同様の機能を有する構成には同一の符号を付して、その説明を省略する。上記構成において、子端末４０にコンテンツを提示する際の動作を、図７に基づき説明すると、以下の通りである。
【００９２】
図７は、本発明のコンテンツ提示システム１０を、イベント告知システムとして適用した場合のコンテンツ提示方法の一例を示す概念図である。
【００９３】
親端末２０は、テーマパークの各ブースに設置され、ブース担当者によって操作される端末である。子端末４０は、テーマパークの来園者に貸し出される端末であり、来園者に所持されテーマパーク内を移動しつつ、コンテンツの提示を行う。
【００９４】
初期状態において、子端末４０は、電源がＯＦＦの状態であるか、来園者の操作によって、例えば、テーマパークの地図といった来園者が閲覧を希望するコンテンツＣ２１が表示されている。ここで、ブース担当者は、親端末２０を操作し、タイミング見ながら待ち時間やイベントにあったコンテンツＣ２２を親端末２０の表示部２８に表示する。
【００９５】
親端末２０におけるコンテンツＣ２２の表示に基づき、親端末２０の送信部３０は、再生したコンテンツＣ２２に対応する固有コードを指示信号として子端末４０に送信する。子端末４０の制御部５２は、子端末４０の受信部５０がコンテンツＣ２２に対応する固有コードを受信した場合、受信した固有コードに対応するコンテンツＣ２３を子端末４０の表示部４８に出力させる。これによって、ブース担当者が希望するコンテンツ、例えば、アトラクションの高さや稼動時間などの情報を、アトラクションの進行状況などに基づいて提示することができる。
【００９６】
このように、テーマパーク来園者に端末を貸し出し、テーマパーク内での各ブースでの待ち時間に、ブースの紹介や関係キャラクター等のコンテンツを自動的に再生させることで、退屈させず期待感を高め、ブースに入った後もブース内のイベントにあったコンテンツを自動的に再生させることで、イベントを盛り上げる事に応用できる。
【００９７】
これによって、テーマパーク側はサービスを向上させることができ、来園者は従来以上の満足感を味わえる。また、テーマパーク側は、込み具合や客層によって再生コンテンツを選択して再生させることができる。また、緊急時の連絡として応用ができる。
【００９８】
以上のように、本実施形態のイベント告知システムでは、親端末２０は、親端末２０内の記憶部２６からコンテンツデータを取り出して再生し、再生したコンテンツに対応する指示信号を送信し、子端末４０は、親端末２０からの指示信号に基づいて対応するコンテンツデータを子端末４０の記憶部４６から取り出して再生するので、ブース担当者用の親端末２０に送信部３０を備え、来園者用の子端末４０に受信部５０を備えた簡素な構成によって、任意のコンテンツを複数の端末に提示するイベント告知システムを、屋外などの環境において簡素な構成において構築することができる。
【００９９】
〔実施形態３〕
次に、本発明の別の実施形態について、図８を参照しつつ説明する。
【０１００】
本実施形態のコンテンツ提示システム１０では、図１〜７に示されるシステムに比べて、使用される場所が主として教室よりも広いホールまたはイベントスペースなどであり、親端末２０が講演者用の演壇に固定され、子端末４０が講演参加者に貸与され、講演会場内を移動する構成となっている点が異なり、その他の構成は同様である。
【０１０１】
このため、本実施形態では、コンテンツを親端末２０と同期させて子端末４０に提示する範囲を、親端末２０より約１ｍ〜５０ｍの通信範囲内とし、送信部３０および受信部５０を上記通信範囲にあわせてワイヤレスの無線通信手段を用いる構成としている。上記の通信範囲は一例を示すものであり、通信範囲に応じた通信手段を用いれば、送信部３０および受信部５０は、どのような通信手段であっても良い。
【０１０２】
なお、上記実施形態で説明した構成と同様の機能を有する構成には同一の符号を付して、その説明を省略する。上記構成において、子端末４０にコンテンツを提示する際の動作を、図８に基づき説明すると、以下の通りである。
【０１０３】
図８は、本発明のコンテンツ提示システム１０を、プレゼンテーションシステムとして適用場合のコンテンツ提示方法の一例を示す概念図である。
【０１０４】
親端末２０は、講演者用の演壇に設置され、講演者によって操作される端末である。子端末４０は、講演参加者に貸し出される端末であり、講演参加者に所持され講演会場内を移動しつつ、コンテンツの提示を行う。
【０１０５】
初期状態において、子端末４０は、電源がＯＦＦの状態であるか、講演参加者の操作によって、講演者の紹介といった講演参加者が閲覧を希望するコンテンツＣ３１が表示されている。ここで、講演者はプレゼンテーションを開始し、親端末２０を操作して、プレゼンテーションコンテンツＣ３２を親端末２０の表示部２８に表示する。
【０１０６】
親端末２０におけるコンテンツＣ３２の表示に基づき、親端末２０の送信部３０は、再生したコンテンツＣ３２に対応する固有コードを指示信号として子端末４０に送信する。子端末４０の制御部５２は、子端末４０の受信部５０がコンテンツＣ３２に対応する固有コードを受信した場合、受信した固有コードに対応するコンテンツＣ３３を子端末４０の表示部４８に出力させる。これによって、講演者がプレゼンテーションに用いる資料の提示を、プレゼンテーションの進行状況などに基づいて提示することができる。
【０１０７】
また、講演者がプレゼンテーションの進行に沿って説明にあったプレゼンテーションコンテンツＣ３４を画面に表示させた場合、親端末２０は、プレゼンテーションコンテンツＣ３４に対応する固有コードを子端末４０に送信する。子端末４０は、親端末２０で表示されているプレゼンテーションコンテンツＣ３４に対応する固有コードを受信し、親端末２０で表示しているものと同じコンテンツが講演者の操作に合わせて子端末４０に強制表示される。
【０１０８】
以上のように、本実施形態のプレゼンテーションシステムでは、親端末２０は、親端末２０内の記憶部２６からコンテンツデータを取り出して再生し、再生したコンテンツに対応する指示信号を送信し、子端末４０は、親端末２０からの指示信号に基づいて対応するコンテンツデータを子端末４０の記憶部４６から取り出して再生するので、講演者用の親端末２０に送信部３０を備え、講演参加者の子端末４０に受信部５０を備えた簡素な構成によって、任意のコンテンツを複数の端末に提示するイベント告知システムを、簡素な構成において構築することができる。
【０１０９】
以上のように、本実施形態のプレゼンテーションシステムでは、講演会参加者に、端末を貸し出し、ネットワークが整備されていない施設で講演者がスクリーンに映し出すプレゼンテーションデータを、参加者は端末でも見ながら講演を聴く事ができる。しかも、表示されるデータは、講演者が表示させているプレゼンテーションと同じものが表示されるので表示を切り替える必要もない。
【０１１０】
また、講演会でスクリーンにプレゼンテーションデータを映して講演されることはよくあるが、後部の席や死角になる席からは、スクリーンの内容が見づらく、内容を把握できない場合がある。また講演会で配布される冊子をめくる事は非常に煩雑に感じられ、集中できない場合がある。本実施形態のプレゼンテーションシステムでは、ネットワーク環境が整備されていなくても、簡単にこのような点を解消することができる。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１２】
最後に、コンテンツ提示システム１０の各ブロック、特に親端末２０の再生部２４、制御部５２、および送信部３０と、子端末４０の再生部４４、受信部５０、および制御部５２とは、ハードウェアロジックによって構成してもよいし、次のようにＣＰＵを用いてソフトウェアによって実現してもよい。
【０１１３】
すなわち、親端末２０および子端末４０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである再生装置１の制御プログラムのプログラムコード（実行形式プログラム、中間コードプログラム、ソースプログラム）をコンピュータで読み取り可能に記録した記録媒体を、上記再生装置１に供給し、そのコンピュータ（またはＣＰＵやＭＰＵ）が記録媒体に記録されているプログラムコードを読み出し実行することによっても、達成可能である。
【０１１４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１５】
また、親端末２０および子端末４０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１６】
以上のように、本発明に係るコンテンツ提示システム１０は、授業支援システム、イベント告知システム、施設案内システム、およびプレゼンテーションシステムなどの任意のコンテンツ提示システムに適用できる。
【図面の簡単な説明】
【０１１７】
【図１】本発明の一実施形態であるコンテンツ提示システムに利用される親端末および子端末の概略構成を示す機能ブロック図である。
【図２】上記各端末のハードウェア構成の概略を示す概念図である。
【図３】上記コンテンツ提示システムにおけるコンテンツの提示方法の一例を示す概念図である。
【図４】上記親端末および子端末におけるコンテンツ提示処理の流れを示すフロー図である。
【図５】上記子端末におけるコンテンツ提示処理の流れを示すフロー図である。
【図６】本発明のコンテンツ提示システムの一実施形態である授業支援システムにおけるコンテンツ提示方法の一例を示す概念図である。
【図７】本発明のコンテンツ提示システムの、別の実施形態であるイベント告知システムにおけるコンテンツ提示方法の一例を示す概念図である。
【図８】本発明のコンテンツ提示システムの、別の実施形態であるプレゼンテーションシステムにおけるコンテンツ提示方法の一例を示す概念図である。
【符号の説明】
【０１１８】
１０    コンテンツ提示システム
２０    親端末（第１端末）
２２    操作部
２４    再生部（第１再生処理手段）
２６    記憶部（第１記憶手段）
２８    表示部（第１表示出力手段）
３０    送信部（送信手段）
４０    子端末（第２端末）
４２    操作部
４４    再生部（第２再生処理手段）
４６    記憶部（第２記憶手段）
４８    表示部（第２表示出力手段）
５０    受信部（受信手段）
５２    制御部（再生指示手段、ロック制御手段）
６０    ＣＰＵ（再生指示手段、ロック制御手段）
６１    ＲＯＭ
６２    ＲＡＭ
６３    タッチパネル
６４    タッチパネルコントローラ
６５    キー
６６    キー入力ポート
６７    電源キー
６８    電源コントローラ
６９    充電池
７０    ＡＣアダプタ
７１    表示コントローラ
７２    表示装置（第１表示出力手段、第２表示出力手段）
７３    ＭＭＣコントローラ
７４    ＭＭＣメモリカード（第１記憶手段、第２記憶手段）
７５    ＣＦカードコントローラ
７６    ＣＦメモリカード（第１記憶手段、第２記憶手段）
７７    拡張用記憶装置
７８    無線通信コントローラ
７９    無線通信装置（送信手段、受信手段）
８０    内蔵記憶装置（第１記憶手段、第２記憶手段）
【図１】
2007251434.tif 000003
【図２】
2007251434.tif 000004
【図３】
2007251434.tif 000005
【図４】
2007251434.tif 000006
【図５】
2007251434.tif 000007
【図６】
2007251434.tif 000008
【図７】
2007251434.tif 000009
【図８】
2007251434.tif 000010